(57)【要約】【課題】バルブハウジング２に取り付けられたびん口パッキン３２を、分解せずに洗浄できるようにする。【解決手段】充填液通路８が形成されたバルブハウジング２と、前記充填液通路８を開閉する液バルブ１４と、容器１８の口部１８ａに密着して容器１８内を密封するびん口パッキン３２とを備えている。前記バルブハウジング２の下端に小径円筒部２ｄを形成し、この円筒部２ｄの下端に半径方向内方に突出する係合部（爪部）２ｅを設けるとともに、前記パッキン３２の周囲に、半径方向外方に突出し、前記バルブハウジング２の係合部２ｅに係合する係合部（傘部）３２ｃを形成し、これら係合部２ｅ、３２ｃを互いに係合させて、充填時以外はびん口パッキン３２を吊り下げた状態にしておく。さらに、前記小径円筒部２ｄに内外を貫通する連通部２ｆを設ける。【選択図】図１
2005153895.tif 000002
【特許請求の範囲】
【請求項１】
充填液通路が形成されたバルブハウジングと、前記充填液通路を開閉する液バルブと、容器の口部に密着して容器内を密封するパッキンとを備えた充填バルブにおいて、
前記バルブハウジングの下端に、径方向に突出する係合部を形成するとともに、前記パッキンの周囲に、前記バルブハウジングの係合部に係合する係合部を形成し、これら係合部を互いに係合させることにより、パッキンをバルブハウジングに対して昇降可能な状態で支持させたことを特徴とする充填バルブ。
【請求項２】
前記バルブハウジングの係合部よりも上方に、内外を連通する連通部を形成したことを特徴とする請求項１に記載の充填バルブ。
【請求項３】
前記バルブハウジングに当接するシール部と、洗浄水を排出する排出通路と、一端が前記シール部の内周側に開口するとともに、他端が前記排出通路に連通する補助通路を有する洗浄カップを、バルブハウジングに装着可能にしたことを特徴とする請求項１または請求項２に記載の充填バルブ。
【請求項４】
前記パッキンの下面側に当接して、このパッキンの係合部とバルブハウジングの係合部との間に隙間を生じさせる突起部が形成された洗浄カップを、バルブハウジングに装着可能にしたことを特徴とする請求項１ないし請求項３のいずれかに記載の充填バルブ。
【発明の詳細な説明】
【技術分野】
【０００１】
本発明は充填バルブに係り、特に容器の口部に密着して容器内を密封するパッキンを備えた充填バルブに関するものである。
【背景技術】
【０００２】
バルブハウジング内に形成された充填液通路と、この充填液通路を開閉する液バルブと、容器の口部に密着して容器内をシールするびん口パッキンとを備え、このびん口パッキンを容器の口部に圧着して容器内を密封した状態で、エアシリンダ等の作動手段により液バルブを開放して、容器内の空気を排気通路から排出しつつ液体を充填する充填バルブが従来から広く知られている。
【０００３】
前述のように液バルブを開放して充填液通路から容器内に充填液を充填しつつ、この容器内の空気を排出し、充填液タンク内の圧力と容器内の圧力が平衡したときに充填を終了するグラビティ充填やガス飲料の充填を行う場合には、充填バルブのバルブハウジング等に取り付けられたびん口パッキンを、供給された容器の口部に密着させて容器内を密封した状態にして充填を行っている（例えば、特許文献１参照）。この特許文献１に記載された発明の構成では、バルブハウジング（この特許文献ではバルブボディと呼ぶ）の下端部内にびん口パッキンが取り付けられている。
【０００４】
前記充填装置では、新たな種類の充填液を充填する際に、充填バルブに洗浄カップを装着して洗浄液を流すことにより、充填液の接触する部分を洗浄している。前記びん口パッキンも充填液が接触する部分であるから充分に洗浄する必要がある。
【０００５】
従来のびん口パッキンは、充填バルブのハウジングやパッキンユニット等に直接取り付けられており、びん口パッキンとバルブハウジング等の他の部材との間は密着した状態であるため、パッキンを取り付けたままではその接触部を充分に洗浄することができないので、分解して洗浄を行っていた。
【特許文献１】特開２００２−２２５９８７号公報（第３頁、図２）
【発明の開示】
【発明が解決しようとする課題】
【０００６】
前記のように従来の充填バルブは、分解してびん口パッキンの洗浄を行っていたが、分解洗浄作業は人手により行われるので、作業に要する時間が多くかかるという問題があった。
【０００７】
本発明は、前記課題を解決するためになされたもので、バルブハウジングの下端に取り付けられ、容器の口部に密着して容器内を密封するびん口パッキンを、分解することなく完全に洗浄することができる充填バルブを提供することを目的とするものである。
【課題を解決するための手段】
【０００８】
本発明は、充填液通路が形成されたバルブハウジングと、前記充填液通路を開閉する液バルブと、容器の口部に密着して容器内を密封するパッキンとを備えた充填バルブにおいて、前記バルブハウジングの下端に、径方向に突出する係合部を形成するとともに、前記パッキンの周囲に、前記バルブハウジングの係合部に係合する係合部を形成し、これら係合部を互いに係合させることにより、パッキンをバルブハウジングに対して昇降可能な状態で支持させたことを特徴とするものである。
【０００９】
また、請求項２に記載の発明は、前記バルブハウジングの係合部よりも上方に、内外を連通する連通部を形成したことを特徴とするものである。
【００１０】
さらに、請求項３に記載の発明は、前記バルブハウジングに当接するシール部と、洗浄水を排出する排出通路と、一端が前記シール部の内周側に開口するとともに、他端が前記排出通路に連通する補助通路を有する洗浄カップを、バルブハウジングに装着可能にしたことを特徴とするものである。
【００１１】
また、請求項４に記載の発明は、前記パッキンの下面側に当接して、このパッキンの係合部とバルブハウジングの係合部との間に隙間を生じさせる突起部が形成された洗浄カップを、バルブハウジングに装着可能にしたことを特徴とするものである。
【発明の効果】
【００１２】
本発明の充填バルブは、分解することなくびん口パッキンを完全に洗浄することが可能である。
【発明を実施するための最良の形態】
【００１３】
バルブハウジングの下端に、径方向に突出する係合部を形成するとともに、パッキンの周囲に、前記バルブハウジングの係合部に係合する係合部を形成し、これら係合部を互いに係合させ、パッキンをバルブハウジングに対して吊り下げた状態にして、昇降可能にしておくことにより、充填バルブを分解せずにパッキンを完全に洗浄するという目的を達成した。
【実施例１】
【００１４】
以下、図面に示す実施例により本発明を説明する。図１は本発明の一実施例にかかる充填バルブ（全体として符号１で示す）の全体の構成を示す縦断面図である。この実施例の充填バルブ１は、ロータリタイプの流量式充填装置に設けられたもので、図示しない回転体の外周部に円周方向等間隔で配置されている。
【００１５】
前記充填バルブ１は、ほぼ円筒状のバルブハウジング２と、このバルブハウジング２内に挿通された操作ロッド４とを備えており、この操作ロッド４は、上端がエアシリンダ６に連結され、このエアシリンダ６の作動によりバルブハウジング２内を昇降する。バルブハウジング２の内部は充填液の通路８になっており、その上端部の側壁に接続された給液管１０を介して、充填液タンク（図示せず）から送られた充填液がこの充填液通路８内を流下する。
【００１６】
バルブハウジング２は、回転体の外周部に固定されたエアシリンダ６のボディ１２の下面に、連結部材１２ａを介して連結されている。このバルブハウジング２は、外径がほぼ一定の円筒状の上部２ａと、その下部に連結部材２ｂを介して連結されたバルブブロック２ｃとを有している。
【００１７】
バルブハウジング２の下端に連結されたバルブブロック２ｃの内面、すなわち、充填液通路８の最も下部には、下方に向けて次第に小径になるテーパ面８ａが形成されている。一方、操作ロッド４の下端部には、円錐状部４ａが形成されており、これら充填液通路８の下部に形成された弁座としてのテーパ面８ａと、操作ロッド４の下端面に形成された弁体としての円錐状部４ａとにより、前記充填液通路８を開閉する開閉弁（液バルブ）１４が形成されている。前記操作ロッド４の、下端の円錐状部４ａとその上方に形成された円柱部４ｂとが連続する部分の外周に環状溝が形成され、この環状溝内に環状のシールリング１６が嵌着されており、直接的には、円錐状部４ａの外周に突出しているシール部材１６が前記弁座（テーパ面）８ａに密着する。
【００１８】
バルブハウジング２の内面（充填液通路８を構成する面）には、その最も上部に、大径の円孔部８ｂが形成され、この円孔部８ｂ内に前記給液管１０が接続されている。この円孔部８ｂに充填液通路８が連続して設けられ、その下方に、前記液バルブ１４の弁座を構成するテーパ面８ａが接続されている。このテーパ面８ａの下端の開口部８ｇが、容器１８（後に説明する図６参照）内に充填される液体が流出する注液口になっている。
【００１９】
一方、バルブハウジング２内に挿通された操作ロッド４は、その上端部４ｃが、バルブハウジング２の上端に固定されているシリンダボディ１２の底面を貫通してシリンダ室２０内に挿入され、その上端に形成された頭部４ｄがシリンダ室２０の下部内面に嵌合して摺動するようになっている。この操作ロッド４の、前記バルブハウジング２の上端円孔部８ｂ内に位置している部分４ｄは、前記シリンダボディ１２を貫通している上端部４ｃよりもやや大きい外径を有している。この大きい外径の部分４ｄの周囲には、ベローズ２２が装着されており、充填液通路８内と部分４ｄとを隔離している。
【００２０】
操作ロッド４の下方には、前記液バルブ１４の弁体を構成する円錐状部４ａが設けられている。
【００２１】
前記操作ロッド４を昇降させるエアシリンダ６は、前記シリンダボディ１２の内部のシリンダ室２０内に摺動自在に嵌合されたピストン（以下第１ピストンと呼ぶ）２６を有しており、このピストン２６の下面と前記操作ロッド４の上端に形成された頭部（以下第２ピストンと呼ぶ）４ｄとの間にスプリング２８が介装されて、これら両ピストン２６、４ｄを上下に付勢している。なお、第１ピストン２６のロッド２６ａはシリンダボディ１２の上方に延びており、その先端にナット２６ｂが螺合されて第１ピストン２６の下降位置を規制するようになっている。
【００２２】
前記シリンダボディ１２の内部のシリンダ室２０は、上部２０ａが大径で、下部２０ｂが小径になっており、大径上部２０ａ内に前記第１ピストン２６が摺動自在に嵌合し、小径下部２０ｂ内に第２ピストン４ｄが摺動自在に嵌合している。これら両ピストン２６、４ｄによって、シリンダ室２０内は、上方の圧力室３０Ａ、中間の圧力室３０Ｂおよび下方の圧力室３０Ｃに区画されている。
【００２３】
前記ピストン２６、４ｄによって区画された上中下の圧力室３０Ａ、３０Ｂ、３０Ｃ内に、それぞれエア通路１２ｂ、１２ｃ、１２ｄが接続されて、これら各圧力室３０Ａ、３０Ｂ、３０Ｃ内に圧力エアを導入し、また、排出できるようになっている。エア通路１２ｃを介して中間の圧力室３０Ｂ内にエアを導入したときには、操作ロッド４が下降して前記液バルブ１４が閉じ、エア通路１２ｄを介して下方の圧力室３０Ｃにエアを導入したときには、操作ロッド４を大きく上昇させて、液バルブ１４を大きく開放して大流量による充填を行い、エア通路１２ｂおよびエア通路１２ｄを介して上方の圧力室３０Ａと下方の圧力室３０Ｃの双方にエアを導入したときには、操作ロッド４の上昇量を小さくすることにより、液バルブ１４の開口面積を小さくして小流量で充填を行う。なお、前記給液管１０には、この給液管１０内を流れる充填液の流量を検出するフローメーター３１が設けられており、このフローメーター３１からの信号が図示しない制御装置に送られて液バルブ１４の開閉を制御するようになっている。
【００２４】
前記バルブハウジング２内に形成された充填液通路８の液バルブ１４よりも下方に、充填時に容器１８内の空気を排出する排気通路２ｈが設けられている（図２および図４では図示を省略）。
【００２５】
前記バルブハウジング２の下端部には、充填時に容器１８の口部１８ａに密着して容器１８内を密封するびん口パッキン３２が取り付けられている。バルブハウジング２の下部を構成するバルブブロック２ｃの下面には、図２および図３に拡大して示すように、肉厚が薄く、かつ、長さの短い小径の円筒部２ｄが形成されており、その小径円筒部２ｄの下端部に、内周側に向けて突出した係合部（爪部）２ｅが設けられている。また、小径円筒部２ｄの、前記爪部２ｅよりも上部に、内外を連通する円周方向の長穴（連通部）２ｆが形成されている。この実施例では、３個所のリブ２ｉによって区画された３個の長穴２ｆが設けられている。
【００２６】
前記バルブブロック２ｃの係合部２ｅに支持されるびん口パッキン３２は、下面側に、容器１８の口部１８ａが嵌合する円形の凹部３２ａが形成され、その凹部３２ａの上面３２ｂが、容器１８の口部１８ａの上端面全周に密着するシール面になっている。
【００２７】
このびん口パッキン３２は、弾性変形可能な部材により構成され、その上部に、外周側に突出した係合部（傘部）３２ｃが形成されている。この傘部３２ｃは、外径が前記バルブハウジング２の爪部２ｅの内径よりも大きく、しかも、前記小径円筒部２ｄの内径より小さくなっている。また、前記バルブハウジング２の爪部２ｅの先端部内径は、びん口パッキン３２の傘部３２ｃの下部側の部分の外径よりも大きくなっている。従って、びん口パッキン３２の傘部３２ｃを、バルブハウジング２の爪部２ｅの上面側に係合させると、このびん口パッキン３２を吊り下げた状態で支持することができる。しかも、前記バルブハウジング２の小径円筒部２ｄは、びん口パッキン３２が吊り下げられた状態の時には、びん口パッキン３２の上端面３２ｄとバルブハウジング２の下端面との間に隙間が形成され、かつ、びん口パッキン３２が容器１８によって押し上げられたときには、その上端面３２ｄがバルブハウジング２の下端面に密着して、びん口パッキン３２とバルブハウジング２との間をシールすることができるような長さを有している。なお、この実施例では、バルブハウジング２の係合部２ｅを半径方向内方側を向けた爪部とし、びん口パッキン３２の係合部３２ｃを半径方向外方を向けた傘部としたが、逆に、バルブハウジング２の係合部を半径方向外方側に向け、びん口パッキン３２の係合部を半径方向内方側に向けるようにしても良い。
【００２８】
前記構成の充填バルブ１の内部を洗浄する際には、バルブハウジング２の下端部に洗浄カップ３４を装着して内部を密封し、充填時の充填液と同様に洗浄液を流すようになっている。その洗浄カップ３４の一例について、図４および図５により説明する。この洗浄カップ３４は、内部の空間に、前記爪部２ｅとこの爪部２ｅが形成されているバルブハウジング２の下端に形成された小径円筒部２ｄ、およびこの爪部２ｅに吊り下げられているびん口パッキン３２を収容できる大きさを有している。この実施例では、洗浄カップ３４をバルブハウジング２に装着した状態で、バルブハウジング２の下端に吊り下げられているびん口パッキン３２の下面と、洗浄カップ３４の底面３４ａとの間に、洗浄液が通過可能な隙間が形成されるようになっている。
【００２９】
洗浄カップ３４の上端には、弾性体からなる環状のシール部材（シール部）３６が嵌着されている。このシール部材３６は、バルブハウジング２の下端面の外周寄りに形成された環状の突起２ｇに押しつけられて、バルブハウジング２と洗浄カップ３４との間をシールするようになっている。また、洗浄カップ３４の底面３４ａの中央部には、絞り通路３４ｂを介して下方へ伸びる排出通路３４ｃが形成され、さらに、このこの排出通路３４ｃの側面に排出管３８が接続されている。洗浄カップ３４の周壁３４ｄの内部、およびこの周壁３４ｄの下部から中心に向かって傾斜した底面３４ａの内部に、この洗浄カップ３４の上端面と下部に形成された排出通路３４ｃとの間を接続する複数本の補助通路３４ｅが設けられている。これら複数の補助通路３４ｅの上端は、前記環状シール部材３６の内周側に形成された環状の溝３４ｆによって連通している。
【００３０】
以上の構成に係る充填バルブ１の作動について説明する。充填開始前は、エアシリンダ６の中間の圧力室３０Ｂ内にエア通路１２ｃからエアを供給するとともに、上下の圧力室３０Ａ、３０Ｃからエアを排出することにより、操作ロッド４を下降させて液バルブ１４を閉じており、この状態で、図示しない充填液タンクから、バルブハウジング２の上端部に接続されている給液管１０を介して、容器１８内に充填される液体が充填液通路８内に供給されている。なお、この実施例では、水やお茶等のノンガス飲料の充填を行う。
【００３１】
バルブハウジング２の下端に支持されているびん口パッキン３２は、上端の係合部（傘部）３２ｃがバルブハウジング２の下端に形成された係合部（爪部）２ｅに係合し、自重によって吊り下げられた状態になっている。充填バルブ１が前記の状態で、その下方に容器１８が供給される。容器１８は、図示しない昇降式のびん台に載せられて上昇される（図６参照）。容器１８が上昇して口部１８ａの上端面がびん口パッキン３２の下面に形成された円形の凹部３２ａに嵌合する。容器１８がそのまま上昇してびん口パッキン３２を押し上げ、容器口部１８ａの上端面をびん口パッキン３２のシール面３２ｂに密着させるとともに、びん口パッキン３２の上端面３２ｄをバルブハウジング２の下端面に押し付ける（図７参照）。
【００３２】
前記のように上昇した容器１８によってびん口パッキン３２を押し上げて、容器１８の内部および上方の充填液通路８側を外部から完全に遮断した状態にして充填を開始する。充填開始時には、エア通路を切り換えて、下方のエア通路１２ｄから下方の圧力室３０Ｃ内に圧力エアを供給するとともに、エア通路１２ｂ、１２ｃを介して上方の圧力室３０Ａおよび中間の圧力室３０Ｂからエアを排出する。下方の圧力室３０Ｃに圧力エアが導入されると、下方の第２ピストン４ｄおよび操作ロッド４が上昇を開始し、操作ロッド４の下端に形成された弁体（円錐状部）４ａがバルブハウジング２の下端内面の弁座（テーパ面）８ａから離れて液バルブ１４が開放し、充填が開始する。
【００３３】
液バルブ１４が開放すると、充填液が、液バルブ１４を通過して密封された状態の容器１８内に充填されるとともに、この容器１８内の空気は、バルブハウジング２の下端部に形成されている排気通路２ｈから外部に排出される。
【００３４】
この実施例の充填バルブ１では、充填量の大半（例えば全充填量の９０％）を大流量で充填を行い、前記量を容器１８内に充填した後、小流量に切り換えて所定量の充填を行うようになっている。前記給液管１０を流れる流量はフローメーター３１によって検出されており、このフローメーター３１からの信号によって図示しない制御手段が前記液バルブ１４の開閉を制御する。
【００３５】
前記大流量の充填によって所定充填量の、例えば９０％を充填すると、エア通路を切り換えて、上下のエア通路１４ｂ、１４ｄから上方の圧力室３３Ａと下方の圧力室３３Ｃ内にエアを導入するとともに、中間の圧力室３０ｂからエアを排出する。前述のように上方の第１ピストン２６が下方の第２ピストン４ｄよりも大径になっており、第２ピストン４ｄは下降した第１ピストン２６によって上昇を規制されるので、操作ロッド４は大流量の充填時よりもやや下降した状態になり、液バルブ１４の開度が小さくなって小流量での充填が行われる。
【００３６】
小流量の充填により容器１８内に予め設定された量の液体が充填されると、再度エア通路１２ｂ、１２ｃ、１２ｄを切り換えて充填を終了する。充填終了時には、中間のエア通路１２ｃからエアシリンダ６の中間の圧力室３０Ｂ内にエアを導入するとともに、上下の圧力室３０Ａ、３０Ｃからエアを排出し、第２ピストン４ｄを介して操作ロッド４を下降させる。操作ロッド４の下降によって、その下端の弁体４ａがバルブハウジング２の下端内面の弁座８ａに着座して液バルブ１４を閉じる。
【００３７】
前記充填バルブ１を洗浄する際には、先ず、外洗シャワーノズル４０（図２参照）によりびん口パッキン３２の予備洗浄を行う。この予備洗浄では、図２に示すように液バルブ１４を閉じた状態で、充填バルブ１が取り付けられている回転体（図示せず）を回転させつつ、外部に配置した外洗シャワーノズル４０から、前記バルブハウジング２の下端の円筒部２ｄに形成されている長穴（連通部）２ｆ付近に向けて洗浄水を噴射する。この噴射された洗浄水によってバルブハウジング２の下部外面およびびん口パッキン３２の外面を洗浄するとともに、長穴２ｆから内部側に吹き込まれた洗浄水によって、バルブハウジング２の小径円筒部２およびびん口パッキン３２の内面を予備洗浄する。
【００３８】
続いて、バルブハウジング２に洗浄カップ３４を装着して本洗浄を行う。洗浄カップ３４の環状シール部材３６を、バルブハウジング２の下端面に形成された環状突起２ｇに押し付けた状態で、洗浄カップ３４をバルブハウジング２に取り付ける。この状態で、エアシリンダ６により液バルブ１４を開放して洗浄液を流して洗浄を行う。充填液通路６を流れ、液バルブ１４を通過した洗浄液は、洗浄カップ３４内に保持されているびん口パッキン３２の内部を通り、一部は、絞り通路３４ｂ、排出通路３４ｃおよび排出管３８を通って排出される。また、前記排出通路３４ｃの入口が絞られているので、洗浄液の一部が、洗浄カップ３４の底面３４ａとびん口パッキン３２の下面との間および、洗浄カップ３４の内周面とびん口パッキン３２の外周面との間を通り、さらに、洗浄カップ３４の上端に形成された環状溝３４ｆおよび補助通路３４ｅを通って、前記排出通路３４ｃ内に排出される。びん口パッキン３２は、バルブハウジング２の係合部（爪部）２ｅに吊り下げられた状態になっているので、びん口パッキン３２の上端面３２ｄとバルブハウジング２の下端面との間に隙間があり、従来困難であったびん口パッキン３２とバルブハウジング２との接触部を完全に洗浄することができる。
【００３９】
なお、前記実施例では、ノンガス飲料の充填を行うものとして説明したが、ガス飲料の充填も可能である。この場合には、バルブハウジング２にカウンター通路を形成するか、または、排気通路２ｈにカウンター通路を接続してバルブにより切り換えるようにしても良い。
【００４０】
図８は、洗浄カップ１３４の他の例を示す縦断面図である。この洗浄カップ１３４は、前記実施例の洗浄カップ３４と基本的には同一の構成を有し、それに加えて、底面１３４ａの外周寄りに、びん口パッキン３２の下面に当接する突起部１３４ｇを形成している。このように突起部１３４ｇを設けることにより、びん口パッキン３２を浮かせて、バルブハウジング２の爪部２ｅとびん口パッキン３２の傘部３２ｃとの間に隙間を生じさせることができるので、これら両者２、３２の間をより完全に洗浄することができる。
【００４１】
前記第１実施例では、バルブハウジング２の下端部に設けられた小径円筒部２ｄに、全周に亘る係合部（爪部）２ｅを形成していたが、係合部は必ずしも全周に亘って設けられる必要はなく、びん口パッキン３２を確実に保持できるものであればよい。例えば、図９に示すように、バルブハウジング２０２の下端に設けられた小径円筒部２０２ｄに、円周方向に適宜の間隔をあけて複数の独立した爪部２０２ｅを設けるようにしてもよい。この実施例の場合には、各爪部２０２ｅの間の空間が、前記実施例の長穴２ｆに代わる連通部を構成している。
【００４２】
また、図１０に示すように、前記第１実施例の小径円筒部２ｄに形成された長穴２ｆに変えて、バルブハウジング３０２の下端に設けられた小径円筒部３０２ｄに、円周方向に適宜の間隔をあけて複数のキリ穴３０２ｆを設けることにより小径円筒部３０２ｄの内外を連通するようにしてもよい。これら各実施例でも、前記第１実施例と同様の作用効果を奏することができる。
【図面の簡単な説明】
【００４３】
【図１】充填バルブの全体の構成を示す縦断面図である。（実施例１）
【図２】充填バルブの要部の拡大図である。
【図３】バルブハウジングとびん口パッキンとの取付部を示す斜視図である。
【図４】充填バルブに洗浄カップを取り付けた状態を示す縦断面図である。
【図５】洗浄カップの平面図である。
【図６】充填の開始前の状態を示す縦断面図である。
【図７】充填中の状態を示す縦断面図である。
【図８】他の構成の洗浄カップを充填バルブに取り付けた状態を示す縦断面図である。（実施例２）
【図９】びん口パッキンの係合部に係合するバルブハウジングの係合部の他の例を示す斜視図である。（実施例３）
【図１０】びん口パッキンの係合部に係合するバルブハウジングの係合部のさらに他の例を示す斜視図である。（実施例４）
【符号の説明】
【００４４】
１    充填バルブ
２    バルブハウジング
２ｅ  バルブハウジングの係合部（爪部）
８    充填液通路
１４    液バルブ
１８    容器
１８ａ  容器の口部
３２    パッキン（びん口パッキン）
３２ｃ  びん口パッキンの係合部（傘部）
【図１】
2005153895.tif 000003
【図２】
2005153895.tif 000004
【図３】
2005153895.tif 000005
【図４】
2005153895.tif 000006
【図５】
2005153895.tif 000007
【図６】
2005153895.tif 000008
【図７】
2005153895.tif 000009
【図８】
2005153895.tif 000010
【図９】
2005153895.tif 000011
【図１０】
2005153895.tif 000012